(57)【特許請求の範囲】
【請求項１】
ホース本体の両端の少なくとも一方に、ホース継手金具を介してエルボ金具を装着したホース配管用継手において、
前記ホース本体の一端に挿入固定したホース継手金具の一端と、エルボパイプの一端に一体的に連結固定した加締めナットとをバックアップリング及びＯリングを介して回転自在に連結し、前記加締めナットの先端加締め部を、前記ホース継手金具の外周面に形成した段付き凹部に加締めにより回転可能に係合して成るホース配管用継手。
【発明の詳細な説明】
【０００１】
【発明の属する技術分野】
この発明は、ホース配管用継手にかかわり、更に詳しくはホース本体に取付けられたホース継手金具をエルボ金具を介して相手機器類に接続する際、角度調整作業を簡略して配管作業性を良好にすることが出来ると共に、配管工数を低減させることが出来るホース配管用継手に関するものである。
【０００２】
【従来の技術】
従来、図４に示すように、所定長さに形成されたホース本体１の両端の少なくとも一方に取付けられたホース継手金具２にエルボ金具３を介して相手機器類４に接続させる場合、先ずホース本体１の他端側に設けた図示しないホース継手金具を一方の相手機器類に接続させ、その後、一端側のエルボ金具３を他方の相手機器類４に接続させる方法が行われている。
【０００３】
然しながら、エルボ金具３を他方の機器類に接続する際、他方の相手機器のポート（穴中心位置）と角度ズレが生じている場合、接続作業が大変だったり、また角度ズレが大きい場合には接続が困難になる場合がある。
【０００４】
このような場合には、ホース本体１を捩じって強引に角度合わせを行いながら接続させたり、また先に接続したホース継手金具を緩めて角度調整を行いながら接続させたり、更にはエルボ金具３をストレート金具に変更し、別体のエルボアダプターを使用して接続させる作業が行われていた。
【０００５】
【発明が解決しようとする課題】
然しながら、ホース本体１を捩じって強引に角度合わせを行う方法は、ホースアッセンブリ品を損傷させてホース本体及び継手部の寿命を低下させると言う問題がある。また接続済みのホース継手金具を緩めて角度調整を行う場合には、配管接続作業に多くの手間と時間がかかり、更に別体のエルボアダプターを使用して接続させる方法の場合には、部品点数が増加し、配管工数がアップしたり、コストアップとなる問題があり、更に、ホース本体内を流動する流体の洩れ箇所も増加する等の問題があった。
【０００６】
この発明は、かかる従来の問題点に着目して案出されたもので、ホース本体に接続されたエルボ金具を相手機器に接続する際、ホース本体やエルボ金具の角度調整が簡単に行うことが出来、また接続時の捩りによるホースアッセンブリ品の損傷や、ホース本体の寿命を低下させることなく、配管工数及び作業工数を低減でき、品質の向上とコストダウンを図ることが出来るホース配管用継手を提供することを目的とするものである。
【０００７】
【課題を解決するための手段】
この発明は、上記目的を達成するため、ホース本体の一端に挿入固定したホース継手金具の一端と、エルボパイプの一端に一体的に連結固定した加締めナットとをバックアップリング及びＯリングを介して回転自在に連結し、前記加締めナットの先端加締め部を、前記ホース継手金具の外周面に形成した段付き凹部に加締めにより回転可能に係合したことを要旨とするものである。
【０００９】
このように、ホース本体の一端に挿入固定したホース継手金具の一端と、エルボパイプの一端に一体的に連結固定した加締めナットとをバックアップリング及びＯリングを介して回転自在に連結し、前記加締めナットの先端加締め部を、前記ホース継手金具の外周面に形成した段付き凹部に加締めにより回転可能に係合して構成したので、ホース本体に接続されたエルボ金具を相手機器に接続する際、ホース本体やエルボ金具の角度調整が簡単に行うことが出来、また接続時の捩りによるホースアッセンブリ品の損傷や、ホース本体の寿命を低下させることなく、配管工数及び作業工数を低減でき、品質の向上とコストダウンを図ることが出来るものである。
【００１０】
【発明の実施の形態】
以下、添付図面に基づきこの発明の実施の形態を説明する。
【００１１】
図１は、この発明を実施したホース配管用継手の一部正面図、図２は図１のＡ−Ａ矢視側面図、図３は図２のＢ−Ｂ線に沿う拡大半断面図を示し、１１はホース本体１２の一端側に取付けられたホースニップル等のホース継手金具、１３は図示しない相手機器１９に接続させるためのエルボ金具を示している。
【００１２】
前記エルボ金具１３は、図３に示すように、エルボパイプ１４の一端に加締めナット１５が溶接等により一体的に固定され、加締めナット１５の内部には、フッ素樹脂等により形成されたバックアップリング１６及びＯリング１７を介して前記ホース継手金具１１の一端に回転自在に連結され、更に加締めナット１５の先端加締め部１５ａは、ホース継手金具１１の一端に形成された段付き凹部１１ａに加締めによって回転可能に係合してある。
【００１３】
また、前記エルボパイプ１４の他端側には、相手機器１９に接続させるための連結ナット１８が回転自在に取付けてある。
【００１４】
なお、上記の説明では、ホース本体１２の一端側の構成についてのみ説明したが、他端側にもホース継手金具１１及びエルボ金具１３を設けることも可能である。
【００１５】
このように、この発明の実施形態では、エルボ金具１３をホース継手金具１１の一端に回転自在に連結して構成することで、ホース本体１２に接続されたエルボ金具１３を相手機器１９に接続する際、ホース本体１２を捩じったり、他端に接続したホース継手金具を緩めての角度調整を行うことなく、エルボ金具１３を回転させることで簡単に角度調整や接続作業を行うことが出来るものである。
【００１６】
また、このようにエルボ金具１３を回転させることで簡単に接続作業を行うことが出来るので、ホースアッセンブリ品を損傷させたり、ホース本体１２の寿命を低下させることなく、配管工数及び作業工数を低減でき、品質の向上とコストダウンを図ることが出来るものである。
【００１７】
【発明の効果】
この発明は、上記のようにホース本体の一端に挿入固定したホース継手金具の一端と、エルボパイプの一端に一体的に連結固定した加締めナットとをバックアップリング及びＯリングを介して回転自在に連結し、前記加締めナットの先端加締め部を、前記ホース継手金具の外周面に形成した段付き凹部に加締めにより回転可能に係合して構成したので、以下のような優れた効果を奏するものである。
(a).ホース本体に接続されたエルボ金具を相手機器に接続する際、ホース本体やエルボ金具の角度調整が簡単に行うことが出来る。
(b).エルボアダプター等を使用する必要がないので、使用部品の点数を低減できコストダウンを図ることが出来る。
(c).配管接続箇所の低減による配管工数の削減及び接続漏れ箇所の低減により品質の安定化を図ることが出来る。
(d).相手機器への接続時、ホース本体を捩じって角度調整を行うことがないので、ホースアッセンブリ品を損傷させたり、ホース本体の寿命を低下させることがない。
(e).両端エルボ金具付きホースアッセンブリ品の製作時の角度出し工程が不要となり、品質の向上を図ることが出来る。
【図面の簡単な説明】
【図１】この発明を実施したホース配管用継手の一部正面図である。
【図２】図１のＡ−Ａ矢視側面図である。
【図３】図２のＢ−Ｂ線に沿う拡大半断面図である。
【図４】従来のホース配管用継手の一部正面図である。
【符号の説明】
１  ホース本体                  ２  ホース継手金具
３  エルボ金具                  ４  相手機器類
１１  ホース継手金具          １１ａ  段付き凹部
１２  ホース本体                １３  エルボ金具
１４  エルボパイプ              １５  加締めナット
１５ａ  先端加締め部            １６  バックアップリング
１７  Ｏリング                  １８  連結ナット
１９  相手機器
【図１】
0003960376.tif 000002
【図２】
0003960376.tif 000003
【図３】
0003960376.tif 000004
【図４】
0003960376.tif 000005